(57)【要約】      （修正有）【課題】口唇、口蓋裂児が容易かつ十分に内容液を吸引して飲むことができる哺乳びん装置を提供する。【解決手段】哺乳びん装置１はびん本体１１と、びん本体１１から傾斜して延びる口部とを有する哺乳びん１０と、口部に装着されたアダプタ２０と、アダプタ２０に装着された乳首３０とを備えている。哺乳びん１０は可撓性プラスチック材からなり、びん本体１１はだ円形の水平断面を有している。口部には乳首３０が内側から装着される第１アダプタ２０、または乳首が外側から装着される第２アダプタが装着される。【選択図】図１
0003177428.tif 000002
【実用新案登録請求の範囲】
【請求項１】
びん本体と、びん本体から傾斜して延びる口部とを有する哺乳びんと、
哺乳びんの口部に装着されたアダプタと、
アダプタに装着された乳首とを備え、
哺乳びんは可撓性プラスチック材からなるとともに、びん本体はだ円形の水平断面を有し、
アダプタは乳首が内側から装着される第１アダプタ、および乳首が外側から装着される第２アダプタを含み、
第１アダプタおよび第２アダプタのうちいずれか一方が口部に装着されることを特徴とする哺乳びん装置。
【請求項２】
びん本体のうちだ円形の水平断面の短軸が通る一対の側面に、把持用の凹部を形成したことを特徴とする請求項１記載の哺乳びん装置。
【請求項３】
哺乳びんは口蓋床をもつ口唇、口蓋裂児用の哺乳びんであり、
口部は乳首の先端が口蓋床に当接した場合に哺乳びんが乳首側に向って下方へ傾斜するような角度だけ、びん本体に対して傾斜することを特徴とする請求項１または２のいずれか記載の哺乳びん装置。
【請求項４】
口部はびん本体に対して、だ円形の水平断面の長軸方向に向って傾斜していることを特徴とする請求項２または３のいずれか記載の哺乳びん装置。
【請求項５】
びん本体と、
びん本体から傾斜して延びる口部とを有する哺乳びんにおいて、
哺乳びんは可撓性プラスチック材からなるとともに、びん本体はだ円形の水平断面を有することを特徴とする哺乳びん。
【請求項６】
びん本体のうちだ円形の水平断面の短軸が通る一対の側面に、把持用の凹部を形成したことを特徴とする請求項５記載の哺乳びん。
【請求項７】
哺乳びんは口蓋床をもつ口唇、口蓋裂児用の哺乳びんであることを特徴とする請求項５または６のいずれか記載の哺乳びん。
【請求項８】
口部はびん本体に対して、だ円形の水平断面の長軸方向に向って傾斜していることを特徴とする請求項６または７のいずれか記載の哺乳びん。
【考案の詳細な説明】
【技術分野】
【０００１】
本考案は哺乳びん装置および哺乳びんに係りとりわけ口唇、口蓋裂児が容易に内容液を飲むことができる哺乳びん装置および哺乳びんに関する。
【背景技術】
【０００２】
従来より、乳幼児または小児にミルク、調乳、ジュース等の内容液を与えるため、哺乳びん装置が用いられている。
【０００３】
このような哺乳びん装置はびん本体と、びん本体に連結された口部とを有する哺乳びんと、この哺乳びんにアダプタを介して連結された乳首とを備えている。
【０００４】
そしてこのような哺乳びん装置内に内容液が充てんされ、乳幼児または小児は乳首を介して哺乳びん装置から内容液を吸い出している。
【０００５】
またこのような哺乳びん装置として、乳幼児または小児に内容液を与え易くするため、哺乳びん装置が上方において傾斜するものも知られている（特許文献１参照）。
【先行技術文献】
【特許文献】
【０００６】
【特許文献１】特開２００２−８５５２７
【考案の概要】
【考案が解決しようとする課題】
【０００７】
ところで乳幼児あるいは小児の中には、口唇、口蓋裂症をもつ口唇、口蓋裂児のように内容液に対する吸引力が小さい乳幼児あるいは小児がいるが、このように小さな吸引力しかもたない口唇、口蓋裂児に対して哺乳びん装置から十分に内容液を与えることができる哺乳びん装置は未だ開発されていない。
【０００８】
本考案はこのような点を考慮してなされたものであり、吸引力の小さな口唇、口蓋裂児が容易かつ十分に内容液を吸引して飲むことができる哺乳びん装置および哺乳びんを提供することを目的とする。
【課題を解決するための手段】
【０００９】
本考案は、びん本体と、びん本体から傾斜して延びる口部とを有する哺乳びんと、哺乳びんの口部に装着されたアダプタと、アダプタに装着された乳首とを備え、哺乳びんは可撓性プラスチック材からなるとともに、びん本体はだ円形の水平断面を有し、アダプタは乳首が内側から装着される第１アダプタ、および乳首が外側から装着される第２アダプタを含み、第１アダプタおよび第２アダプタのうちいずれか一方が口部に装着されることを特徴とする哺乳びん装置である。
【００１０】
本考案は、びん本体のうちだ円形の水平断面の短軸が通る一対の側面に、把持用の凹部を形成したことを特徴とする哺乳びん装置である。
【００１１】
本考案は、哺乳びんは口蓋床をもつ口唇、口蓋裂児用の哺乳びんであり、口部は乳首の先端が口蓋床に当接した場合に哺乳びんが乳首側に向って下方へ傾斜するような角度だけ、びん本体に対して傾斜することを特徴とする哺乳びん装置である。
【００１２】
本考案は、口部はびん本体に対して、だ円形の水平断面の長軸方向に向って傾斜していることを特徴とする哺乳びん装置である。
【００１３】
本考案は、びん本体と、びん本体から傾斜して延びる口部とを有する哺乳びんにおいて、哺乳びんは可撓性プラスチック材からなるとともに、びん本体はだ円形の水平断面を有することを特徴とする哺乳びんである。
【００１４】
本考案は、びん本体のうちだ円形の水平断面の短軸が通る一対の側面に、把持用の凹部を形成したことを特徴とする哺乳びんである。
【００１５】
本考案は、哺乳びんは口蓋床をもつ口唇、口蓋裂児用の哺乳びんであることを特徴とする哺乳びんである。
【００１６】
本考案は、口部はびん本体に対して、だ円形の水平断面の長軸方向に向って傾斜していることを特徴とする哺乳びんである。
【考案の効果】
【００１７】
以上のように本考案によれば、小さな吸引力をもつ口唇、口蓋裂児が容易かつ十分に内容液を吸引して飲むことができる。
【図面の簡単な説明】
【００１８】
【図１】市販の乳首およびアダプタを有する本考案による哺乳びん装置を示す全体斜視図。
【図２】本考案による哺乳びんを示す側面図。
【図３】本考案による哺乳びんを示す正面図。
【図４】本考案による哺乳びんを示す側断面図。
【図５】本考案による哺乳びんを示す水平断面図。
【図６】直付けタイプの乳首およびアダプタを有する本考案による哺乳びん装置を示す全体斜視図。
【考案の実施の形態】
【００１９】
以下、図面を参照して、本考案の実施の形態について説明する。
【００２０】
図１乃至図６は本考案による哺乳びん装置および哺乳びんの実施の形態を示す図である。
【００２１】
図１乃至図６に示すように、本考案による哺乳びん装置１は、口唇、口蓋裂児用の哺乳びん装置である。
【００２２】
すなわち、図１に示すように口唇、口蓋裂症をもつ乳幼児あるいは小児は上あご４および下あご５を有し、この上あご４と下あご５との間に哺乳びん装置１が挿入される。
【００２３】
そして乳幼児あるいは小児は、上あご４と下あご５との間に挿入された哺乳びん装置１から内容液、例えばミルク、調乳、ジュース等を吸引する。
【００２４】
このような哺乳びん装置１は、びん本体１１と、びん本体１１から傾斜して延びる口部１２とを有する哺乳びん１０と、哺乳びん１０の口部１２に装着されるアダプタ（第１アダプタ）２０と、アダプタ２０に装着される乳首３０とを備えている。
【００２５】
このうち哺乳びん１０の口部１２は、上述のように容器本体１０に対して所定角度傾斜しており、びん本体１０と口部１２との間には、肩部１３が介在され、この肩部１３が傾斜することによりびん本体１０に対して口部１２が傾斜している。
【００２６】
また哺乳びん１０は全体として可撓性プラスチック材、例えばポリプロピレン材からなっており、外力を与えることにより、容易に変形することができる。
【００２７】
また哺乳びん１０のびん本体１１はだ円形の水平断面を有する（図５参照）。
【００２８】
またびん本体１１はだ円形の水平断面を有し、このだ円形は長軸ｌ１と短軸ｌ２とを有する。さらにびん本体１１のうち、だ円形の短軸ｌ２が通る対向する一対の側面１６、１６には、対向する把持用の凹部１５、１５が形成されている。この把持用の凹部１５、１５はびん本体１１の上半部に形成されている。
【００２９】
また哺乳びん１０の口部１２には、外ねじ１２ａが設けられ、この口部１２にアダプタ２０を装着する際、アダプタ２０の内ねじ（図示せず）が口部１２の外ねじ１２ａに係合するようになっている。
【００３０】
上述のように、哺乳びん１０の口部１２はびん本体１１に対して傾斜して延びており、この傾斜角αは上あご４内に形成された口蓋床７に対して乳首３０の先端３３を容易に当接することができる角度、例えば８°〜２０°、好ましくは１０°〜１５°となっている（図２参照）。
【００３１】
すなわち、図１に示すように、哺乳びん装置１は口蓋床（刺激スポット）７をもつ上あご４と下あご５との間に挿入される。このとき、乳首３０の先端３３が上あご４の口蓋床７に当接してこれを刺激し、口唇、口蓋裂児の吸引力を高める。この場合、哺乳びん装置１の哺乳びん１０から乳首側へ内容液が容易に流れるよう、びん本体１１に対して口部１２が傾斜する。
【００３２】
図１において、アダプタ２０および乳首３０は水平方向を向き、哺乳びん１０のびん本体１１はアダプタ２０および乳首３０に向って下方へ傾斜している。
【００３３】
また、びん本体１１に対する口部１２の傾斜方向は、びん本体１１のだ円形断面の長軸ｌ１方向を向いている。
【００３４】
次に各部の材料について述べる。
【００３５】
上述のように哺乳びん１０は、全体として可撓性材料、例えばＰＰ（ポリプロピレン）からなり、一対の凹部１５、１５を把持して外力を加えることにより哺乳びん１０は容易に変形することができる。
【００３６】
さらに哺乳びん１０の材料として、ＰＰの代わりにシリコンを用いてもよい。
【００３７】
またアダプタ２０もＰＰ（ポリプロピレン）材料からなっており、さらに乳首はシリコン材料からなっている。
【００３８】
次にアダプタ２０および乳首３０について述べる。図１に示すように、アダプタ２０は乳首３０が内側から装着される第１アダプタ２０からなっている。
【００３９】
この場合、第１アダプタ２０および第１アダプタ２０に内側から装着される乳首３０は、いずれも市販用の第１アダプタ２０および乳首３０である。
【００４０】
あるいは第１アダプタ２０および乳首３０の代わりに、乳首３０Ａが外側から装着される第２アダプタ２０Ａを哺乳びん１０の口部１２に装着してもよい（図６参照）。
【００４１】
図６に示すように、乳首３０Ａは上あご４の口蓋床７に当接する先端３３Ａを有し、かつ第２アダプタ２０Ａの外周に嵌込まれる円筒状の覆い部３２を有する。また覆い部３２の哺乳びん１０側端部に把持用の突出部３１が設けられている。
【００４２】
そして突出部３１を摘んで覆い部３３を第２アダプタ２０Ａ外側に装着したり、突出部３１を摘んで覆い部３３を第２アダプタ２０Ａから外すことができる。
【００４３】
このように内側から乳首３０が装着された第１アダプタ２０を哺乳びん１０の口部１２に装着することもでき（図１参照）、あるいは外側から乳首３０Ａが装着された第２アダプタ２０Ａを哺乳びん１０の口部１２に装着することもできる（図６参照）。
【００４４】
外側から装着される乳首３０Ａおよび第２アダプタは、いずれも病院内の既設のものであり、乳首３０Ａは直付けタイプの乳首となっている。
【００４５】
図６に示す乳首３０Ａは、図１に示す乳首３０と同一の材料、例えばシリコン製となっており、第２アダプタ２０Ａは第１アダプタ２０と同一の材料、例えばＰＰ（ポリプロピレン）材料からなる。
【００４６】
次にこのような構成からなる本実施の形態の作用について説明する。
【００４７】
まず、図１に示すように哺乳びん１０内に口部１２から、ミルク、調乳あるいはジュース等の内溶液を充てんする。
【００４８】
次に乳首３０が内側から装着された市販のアダプタ（第１アダプタ）２０を準備し、このアダプタ２０を哺乳びん１０の口部１２に、口部１２の外ねじ１２ａにアダプタ２０の内ねじを係合させて装着する。
【００４９】
このようにして、哺乳びん１０と、アダプタ２０と、乳首３０とからなる哺乳びん装置１が得られる。
【００５０】
次に使用者（一般に母親）は哺乳びん装置１のびん本体１１に形成された一対の凹部１５、１５を把持して、哺乳びん装置１の乳首３０を口唇、口蓋裂症をもつ乳幼児あるいは小児の上あご４と下あご５との間に挿入する。
【００５１】
次に、乳首３０の先端３３が上あご４の口蓋床７に当接するよう哺乳びん装置１を傾ける。この場合、アダプタ２０と乳首３０は水平方向を向き、哺乳びん１０のびん本体１１はアダプタ２０および乳首３０側に向って下方へ傾斜する。
【００５２】
このとき、乳幼児あるいは小児は乳首３０を介して、哺乳びん装置１内に充てんされた内容液を吸引することができる。
【００５３】
同時に使用者はびん本体１１の対向する一対の凹部１５、１５を押圧し、びん本体１１を変形させる。このことにより哺乳びん装置１内の内容液を乳首３０を介してより確実に上あご４と下あご５との間に流動させ、乳幼児あるいは小児の吸引を補助することができる。また乳首３０の先端３３が上あご４の口蓋床７に当接してこの口蓋床７を刺激することにより、乳幼児あるいは小児の吸引を更に助けることができる。
【００５４】
以上のように本実施の形態によれば、哺乳びん１０の口部１２がびん本体１１に対して傾斜しているため、口部１２にアダプタ２０を介して装着された乳首３０を上あご４の口蓋床７に当接させた場合、哺乳びん１０を乳首３０側に向って下方へ傾斜させることができる。このため、哺乳びん装置１内に充てんされた内容液をスムースに乳首３０から上あご４と下あご５との間に流動させて、小さな吸引力をもつ口唇、口蓋裂症の乳幼児あるいは小児の吸引を補助することができる。
【００５５】
また哺乳びん１０は、全体として可撓性プラスチック材からなり、哺乳びん１０のびん本体１１の一対の側面１６、１６に一対の凹部１５、１５が設けられているため、この一対の凹部１５、１５を把持して押圧することにより、哺乳びん装置１内の内容液をよりスムースに上あご４と下あご５との間に流動させることができる。
【００５６】
なお、乳首３０が内側から装着された市販のアダプタ（第１アダプタ）２０を用いる代わりに、病院に予め設けられた直付けタイプの乳首３０Ａが外側から装着されたアダプタ（第２アダプタ）２０Ａを用いる場合は、このような乳首３０Ａが装着された第２アダプタ２０Ａを準備し、乳首３０Ａおよび第２アダプタ２０Ａを内容液が充てんされた哺乳びん１０の口部１２に装着する。
【００５７】
このようにして、哺乳びん１０と、第２アダプタ２０Ａと、乳首３０Ａとからなる哺乳びん装置１が得られる（図６参照）。
【００５８】
乳首３０Ａおよび第２アダプタ２０Ａを有する哺乳びん装置１の作用は、上述した乳首３０と第１アダプタ２０を有する哺乳びん装置１の作用と略同一である。
【符号の説明】
【００５９】
１  哺乳びん装置
４  上あご
５  下あご
７  口蓋床
１０  哺乳びん
１１  びん本体
１２  口部
１３  肩部
１５  凹部
１６  側面
１８  底部
２０  第１アダプタ
２０Ａ  第２アダプタ
３０  乳首
３０Ａ  乳首
３３  先端
３３Ａ  先端
【図１】
0003177428.tif 000003
【図２】
0003177428.tif 000004
【図３】
0003177428.tif 000005
【図４】
0003177428.tif 000006
【図５】
0003177428.tif 000007
【図６】
0003177428.tif 000008